(57)【特許請求の範囲】
【請求項１】
対象物にエネルギーを印加する装置であって、
前記対象物にエネルギーを印加するエネルギー放出要素と、
前記対象物の温度を検出する温度センサと、
前記エネルギーが印加されることになる前記対象物の位置まで前記エネルギー放出要素及び前記温度センサを誘導するための管であって、前記エネルギー放出要素及び前記温度センサが配置可能な管とを有し、
前記温度センサが、異なるタイプの金属を有し互いに接触される、少なくとも第１の金属要素及び第２の金属要素を有する熱電対であり、
前記エネルギー放出要素が、光学繊維を有し、前記第１の金属要素及び前記第２の金属要素は、前記光学繊維の金属コーティングであり、
前記装置が、複数の組合せ要素を有し、各組合せ要素は、複数のエネルギー放出要素と複数の温度センサと保持要素とを有し、前記複数のエネルギー放出要素におけるエネルギー放出要素が、前記保持要素の周りに巻かれる、装置。
【請求項２】
異なる位置で前記対象物にエネルギーを印加する複数のエネルギー放出要素と、
前記異なる位置で前記温度を検出する複数の温度センサとを有し、
前記複数のエネルギー放出要素におけるエネルギー放出要素が、個別に制御可能であり、前記複数の温度センサにおける温度センサは、互いに独立して前記異なる位置で前記温度を検出し、前記複数のエネルギー放出要素におけるあるエネルギー放出要素によりエネルギーが印加されることになる各位置に対して、前記温度が独立に検出可能であるよう、前記複数の温度センサにおける各温度センサが、前記複数のエネルギー放出要素におけるエネルギー放出要素に割り当てられる、請求項１に記載の装置。
【請求項３】
請求項１に記載の装置において使用する組合せ要素であって、前記組合せ要素が、複数のエネルギー放出要素及び複数の温度センサを有し、前記複数のエネルギー放出要素におけるエネルギー放出要素は、保持要素の周りに巻かれ、
前記温度センサが、異なるタイプの金属を有し互いに接触される、少なくとも第１の金属要素及び第２の金属要素を有する熱電対であり、
前記エネルギー放出要素が、光学繊維を有し、前記第１の金属要素及び前記第２の金属要素は、前記光学繊維の金属コーティングである、組み合わせ要素。
【発明の詳細な説明】
【技術分野】
【０００１】
本発明は、対象物にエネルギーを印加する装置、方法及びコンピュータプログラムに関する。本発明は更に、対象物にエネルギーを印加する装置で使用する組合せ要素に関する。
【背景技術】
【０００２】
対象物にエネルギーを印加する装置及び方法は、例えば、心房細動の介入的な処置の分野において使用される。この処置の間、無線周波数、光又は超音波エネルギーがカテーテルを用いて心臓組織に印加される。この場合、組織におけるエネルギーの吸収が原因で、心筋は加熱され、生成された熱エネルギーは心臓組織を変性させる。
【０００３】
異なるカテーテルが、同時に心臓のチャンバに配置されなければならない。これらのカテーテルは、組み込みガイド手段又はカテーテルを心臓に受動的に誘導するためのガイドワイヤを用いて、心臓のチャンバに対して進められ、及びナビゲートされる。異なるカテーテルは、組織切除のためエネルギーを印加するエネルギー印加カテーテル、及びエネルギーの印加の間、心臓のチャンバの温度を検出する温度検出カテーテルである。
【発明の概要】
【発明が解決しようとする課題】
【０００４】
こうした量のカテーテルの使用は、多くの空間を必要とし、扱うのが困難である。
【０００５】
従って、本発明の目的は、上記エネルギー印加及び上記温度検出に必要な空間が減らされ、取扱いが容易になるような、対象物にエネルギーを印加する装置、方法及びコンピュータプログラムを提供することである。本発明の更なる目的は、上記対象物にエネルギーを印加する装置で使用する対応する組合せ要素を提供することである。
【課題を解決するための手段】
【０００６】
本発明の第１の側面によれば、対象物にエネルギーを印加する装置が与えられる。この装置は、
上記対象物にエネルギーを印加するエネルギー放出要素と、
上記対象物の温度を検出する温度センサと、
上記エネルギーが印加されることになる上記対象物の位置まで上記エネルギー放出要素及び上記温度センサを誘導するための管であって、上記エネルギー放出要素及び上記温度センサが配置可能な管とを有する。
【０００７】
本発明は、上記エネルギー放出要素及び上記温度センサが上記管内で配置可能であるので、上記エネルギーが印加されることになる上記対象物の位置まで、これらが一緒に誘導されることができるというアイデアに基づかれる。本発明は、１つの管が、上記エネルギー放出要素を誘導するために上記エネルギー放出要素を含み、別の管が、上記温度センサを誘導するために上記温度センサを含む構成を必ずしも取る必要がない。エネルギーの印加及び温度検出には１つの管だけが必要とされるので、エネルギーの印加及び温度検出に必要とされる空間は減らされる。更に、１つの管だけが誘導されなければならないので、エネルギー印加及び温度検出の処理は容易になる。エネルギー放出要素及び温度センサは、上記管内を、上記エネルギーが印加されることになる上記対象物の位置まで誘導されることができ、この位置に達すると、上記エネルギー放出要素及び上記温度センサは、上記対象物にエネルギーを印加するため、及び上記対象物の温度を検出するため、上記管から出ることができる。
【０００８】
好ましくは、この装置は更に、特に心臓チャンバといった対象物の内部空間内を、上記エネルギーが印加されなければならない位置まで、上記エネルギー放出要素及び上記温度センサを含む上記管を進めて及び／又はナビゲートするためのガイド手段を有する。
【０００９】
管は好ましくはカテーテルである。即ち、例えば、上記装置が心臓チャンバ内の切除手順に関して使用される場合、切除及び検出温度のために１つのカテーテルだけが必要とされる。管は複数のルーメンを有することができる。このルーメンには、少なくとも上記エネルギー放出要素及び上記温度センサが配置される。
【００１０】
エネルギー放出要素は、ワイヤ及び電気エネルギーを印加するため上記ワイヤに接続される電気エネルギー源を有することができるか、又は、光学繊維及び光学エネルギーを印加するため上記光学繊維に接続されるレーザーデバイスといった光学エネルギー源を有することができる。
【００１１】
好ましくは、上記装置は、異なる位置で上記対象物にエネルギーを印加する複数のエネルギー放出要素と、上記異なる位置での上記温度を検出する複数の温度センサとを有する。これは、異なる位置でのエネルギーの印加と、特に上記エネルギーの印加と同時に、これらの位置での上記温度の検出とを可能にする。
【００１２】
更に好ましくは、上記装置は、
異なる位置で上記対象物にエネルギーを印加する複数のエネルギー放出要素と、
上記異なる位置で上記温度を検出する複数の温度センサとを有し、
上記複数のエネルギー放出要素におけるエネルギー放出要素が、個別に制御可能であり、上記複数の温度センサにおける温度センサは、互いに独立して上記異なる位置で上記温度を検出し、上記複数のエネルギー放出要素のあるエネルギー放出要素によりエネルギーが印加されることになる各位置に対して、上記温度が独立に検出可能、即ち測定可能であるよう、上記複数の温度センサの各温度センサが、上記複数のエネルギー放出要素におけるエネルギー放出要素に割り当てられる。
【００１３】
これは、エネルギーが印加される対象物の異なる位置の温度を特にエネルギーの印加と同時に測定することを可能にし、従って、上記エネルギーの印加は、上記異なる位置で上記温度を測定することにより制御されることができる。好ましくは、上記装置は更に、上記異なる位置での上記検出温度に基づき、好ましくは上記異なる位置での上記温度が所定の閾値を超えないよう、上記異なる位置での上記エネルギーの印加を制御する制御ユニットを有する。
【００１４】
上記複数のエネルギー放出要素及び上記複数の温度センサに加えて、上記装置は更に、各温度センサが、エネルギー放出要素に割り当てられるようには構成されないエネルギー放出要素及び／又は温度センサを有することができる。即ち、例えば、１つの温度センサは、中間位置で上記温度を測定することもできる。この中間位置は、少なくとも２つの位置の間に配置され、エネルギーが印加されることになる位置である。
【００１５】
更に好ましくは、上記エネルギー放出要素が、上記対象物の組織に、特に人間の心臓の組織に印加される切除手順のために構成される。
【００１６】
上記装置が、複数の組合せ要素を有し、各組合せ要素は、複数のエネルギー放出要素及び複数の温度センサを有し、上記複数のエネルギー放出要素のエネルギー放出要素が、保持要素の周りに巻かれることも好ましい。上記エネルギー放出要素が上記保持要素の周りに巻かれるので、上記エネルギー放出要素は、上記保持要素に対して、即ち上記巻かれたエネルギー放出要素により形成される螺旋に対して、長手方向に近くに一緒に配置される。これは、特に同時にエネルギーが印加されることができる位置の間の距離が減らされることをもたらす。
【００１７】
保持要素は、好ましくはワイヤである。例えば、強制される形状でない場合、所定の形状を持つよう、上記保持要素が、形状記憶効果を持つことも好ましい。なぜなら、上記保持要素が、上記管の内部にあり、上記保持要素を特定の形状に、例えば直線形状に保つからである。これは、上記組合せ要素が上記管内で直線形状でありつつ、上記エネルギー放出要素をエネルギーが印加されることになる上記位置まで誘導することを可能にする。この場合、上記組合せ要素が、エネルギーが印加されることになる位置で上記管を出た後、上記保持要素は、エネルギーの印加のための所定の形状を上記組合せ要素に与えることができる。この保持要素は、好ましくは形状記憶合金ワイヤ、特にニチノールワイヤである。
【００１８】
上記複数の組み合わせ要素が、バスケット構造のような構成を形成することも好ましい。このバスケット構造は、複数の組み合わせ要素が、互いに並行である折り畳み状態と、複数の組み合わせ要素が、互いに並行ではない開いた状態との間で変化可能である。特に、開いた状態では、組み合わせ要素が、折り畳み状態より多くの空間を必要とし、この状態において、上記エネルギー放出要素及び上記温度センサは、上記組合せ要素により定められる、特に球状又は楕円形のボリュームの表面に配置される。これは、上記組合せ要素が上記折り畳まれた状態にある間、上記組合せ要素を上記管内でエネルギーが印加されることになる位置まで誘導することを可能にする。エネルギーが印加されることになる上記位置に達した後、上記組合せ要素は上記管を出て、上記開いた状態へと変形されることができる。好ましくは、上記開いた状態において、エネルギーを印加し、上記温度を検出するため、上記組合せ要素は上記対象物の表面と接触状態にある。
【００１９】
上記組合せ要素が、ケースを有することが更に好ましい。このケースには、複数のエネルギー放出要素、複数の温度センサ及び上記保持要素が配置される。特に上記保持要素がメモリ効果を持つ場合、上記組合せ要素が上記保持要素の形状に基づき成形されることができるよう、このケースは好ましくは弾性である。ケースは好ましくは、生体親和性物質で作られる。エネルギーを印加するため上記エネルギー放出要素が上記対象物に結合されるよう、及び上記温度センサが上記対象物に熱的に結合されるよう、上記ケースが構成されることが更に好ましい。上記エネルギー放出要素が、例えば光学エネルギーを印加する場合、及びそれらが光学繊維を有する場合、上記光学繊維は、上記保持要素の周りに巻かれ、上記ケースは、少なくとも部分的に光学的に透明である。特に、上記ケースは、光学窓を有する。この窓は好ましくは、熱エネルギーを通過させることを可能にする、即ち好ましくは熱伝導的である。更に、クラッディング及び上記光学繊維の可能な追加的なコーティングが、上記光学エネルギーが上記組合せ要素を出るべきである上記位置で、特に上記ケース内の上記窓で除去される。好ましくは、光を集束及び／又は光を操縦するマイクロレンズが上記窓に加えられることができる。上記窓が、ＴｉＯ２といった好ましくは光を吸収しない拡散粒子を有することが更に好ましい。上記光学的に透明な窓が、心臓といった上記対象物からの電気信号を伝達しないよう、電気的に非導電性であることも好ましい。更に好ましくは、上記光学的に透明な窓を介して各光学繊維により上記対象物にエネルギーを印加することを可能にするため、上記窓は長手方向において十分に大きい。窓は、光学的に透明な物質及び熱伝導性物質といった少なくとも２種類の物質を有することもできる。この場合、上記光学的に透明な物質は、上記光学エネルギーが上記ケースを出なければならない位置に配置され、上記熱伝導性物質は、上記温度センサが配置される位置に配置される。
【００２０】
好ましい実施形態において、上記温度センサのうちの少なくとも１つは、異なるタイプの金属を有し互いに接触される、少なくとも第１の金属要素及び第２の金属要素を有する熱電対である。金属要素は、例えば、ワイヤ、金属箔及び／又は金属コーティングである。斯かる熱電対を使用することにより、上記第１及び第２の金属要素の間の上記接点での温度は、上記第１及び第２の金属要素の間の電圧を測定することにより、容易に測定されることができる。上記接点位置でない位置では、上記第１及び第２の金属要素は、絶縁層といった絶縁手段により互いから絶縁される。
【００２１】
上記エネルギー放出要素が、光学繊維を有し、上記第１の金属要素及び／又は上記第２の金属要素は、上記光学繊維上の金属コーティングであることが更に好ましい。これは、上記温度センサ及び上記エネルギー放出要素のより大規模な一体化を可能にする。
【００２２】
上記第１及び／又は第２の金属要素が、上記エネルギー放出要素と共に上記保持要素の周りに巻かれることも好ましい。これは、上記温度センサ及びエネルギー放出要素を更に一体化し、上記エネルギー放出要素及び上記温度センサに関して必要な空間の削減及び上記エネルギー放出要素及び上記温度センサの間の距離の削減をもたらす。この場合、エネルギーが印加されることになる位置での温度が、改良された精度で決定されることができる。
【００２３】
この保持要素は、好ましくは金属であり、上記保持要素は、好ましくは上記第１及び第２の金属要素の１つである。上記保持要素が好ましくは、要素の保持及び温度センサの一部であることという２つの機能を持つので、一体化の度合いは更に改良される。保持要素は、例えば金属ワイヤであるので、及び／又は金属コーティングを有するので、保持要素は金属とすることができる。この場合、上記金属コーティングは好ましくは、上記第１及び第２の金属要素のうちの少なくとも１つとして機能する。
【００２４】
上記第１及び上記第２の金属要素が、上記装置の要素上のコーティングであることが更に好ましい。特に、上記第１及び第２の要素を形成する上記コーティングは、上記装置の同じ要素上に配置される。この実施形態において、ワイヤといった更なる金属要素が、上記温度センサにより必要とされることはない。従って、上記温度センサに関して必要な空間が更に減らされる。上記コーティングが存在する上記装置の要素は、例えば、光学繊維又は上記保持要素である。上記第１の金属要素を形成するコーティング及び上記第２の要素を形成する上記コーティングは、好ましくは、上記温度が測定されるべきであるある位置で接触し、他の位置では絶縁層により互いに分離される。
【００２５】
別の好ましい実施形態では、異なる熱電対が、上記同一の第１及び第２の金属要素を持つ。これは、更に一体化の度合いを増加させる。
【００２６】
本発明の更なる側面では、請求項１に記載の装置において使用する組合せ要素が与えられる。この組み合わせ要素は、複数のエネルギー放出要素及び複数の温度センサを有し、上記複数のエネルギー放出要素におけるエネルギー放出要素が、保持要素の周りに巻かれる。
【００２７】
本発明の更なる側面では、対象物にエネルギーを印加する方法が与えられる。この方法は、
エネルギー放出要素及び温度センサが配置される管を使用することにより、上記エネルギーが印加されることになる上記対象物の位置まで上記エネルギー放出要素及び上記温度センサを誘導するステップと、
上記エネルギー放出要素を用いて上記対象物にエネルギーを印加するステップと、
上記温度センサを用いて上記対象物の温度を検出するステップとを有する。
【００２８】
本発明の更なる側面では、対象物にエネルギーを印加するためのコンピュータプログラムであって、請求項１に記載の装置を制御するコンピュータで実行されるとき、請求項１１に記載の方法のステップをコンピュータに実行させるプログラムコード手段を有する、コンピュータプログラムが与えられる。
【００２９】
請求項１の装置、請求項１０の組合せ要素、請求項１１の方法及び請求項１２のコンピュータプログラムが、特に従属項において規定される、類似する及び／又は同一の好ましい実施形態を持つ点を理解されたい。
【００３０】
本発明の好ましい実施形態は、個別の独立項と従属項との任意の組合せとすることもできる点を理解されたい。
【図面の簡単な説明】
【００３１】
【図１】対象物にエネルギーを印加する本発明による装置の実施形態を概略的かつ例示的に示す図である。
【図２】開いた状態にあるエネルギー放出要素及び温度センサの構成を概略的かつ例示的に示す図である。
【図３】折り畳まれた状態にあるエネルギー放出要素及び温度センサの構成を概略的かつ例示的に示す図である。
【図４】組合せ要素を概略的かつ例示的に示す図である。
【図５】組合せ要素を通る断面を概略的かつ例示的に示す図である。
【図６】温度センサの構造を概略的かつ例示的に示す図である。
【図７】更なる組合せ要素を概略的かつ例示的に示す図である。
【図８】更なる組合せ要素を概略的かつ例示的に示す図である。
【図９】更なる組合せ要素を概略的かつ例示的に示す図である。
【図１０】更なる組合せ要素を概略的かつ例示的に示す図である。
【図１１】対象物の表面と接触する、エネルギー放出要素及び温度センサの構成を概略的かつ例示的に示す図である。
【図１２】対象物の３次元モデル上に配置される、エネルギー放出要素及び温度センサの構成の当接面のモデルを概略的かつ例示的に示す図である。
【図１３】対象物にエネルギーを印加する装置の制御ユニットを概略的かつ例示的に示す図である。
【図１４】対象物にエネルギーを印加する本発明による方法を説明するフローチャートを示す図である。
【発明を実施するための形態】
【００３２】
本発明のこれらの及び他の側面が、以下に説明される実施形態より明らとなり、これらの実施形態を参照して説明されることになる。
【００３３】
図１は、対象物にエネルギーを印加する装置１を示す。装置１は、管、本実施形態ではカテーテル６と、エネルギー放出要素及び温度センサの構成７とを有する。エネルギー放出要素及び温度センサの構成７は、カテーテル６を介して制御ユニット５に接続される。エネルギー放出要素の構成７を備えるカテーテル６が、対象物２に誘導されることができる。この対象物は、本実施形態では、患者テーブル４に配置される患者３の心臓である。この場合、カテーテル６は、組み込みガイド手段（図示省略）により心臓のチャンバに対して進められ、ナビゲートされる。別の実施形態では、カテーテルは、例えば、心臓へと受動的にカテーテルを誘導するための導入器を用いて進められ、ナビゲートされることができる。
【００３４】
構成７及びカテーテル６の対象物２への導入の間、本実施形態では蛍光透視デバイスである撮像デバイス１２が、対象物２及び構成７の画像を生成する。構成７が対象物２内に既に配置される場合であっても、この撮像デバイス１２は好ましくは、対象物２及び構成７の画像を生成する。
【００３５】
他の実施形態では、この対象物は、内側表面がエネルギーで処理されなければならない、例えば患者の別の中空器官、又は技術的な対象物、特に中空の技術的対象物とすることができる。
【００３６】
撮像デバイス１２、即ち本実施形態では蛍光透視デバイス１２は、蛍光透視制御ユニット１１により制御されるＸ線源９及び検出ユニット１０を有する。蛍光透視デバイス１２は、対象物２及び構成７のＸ線投影画像を既知の態様で生成する。Ｘ線源９のＸ線は、矢印３５により概略的に示される。
【００３７】
別の実施形態では、対象物２及び構成７を有する画像を生成するために、蛍光透視デバイスの代わりに、別の撮像デバイスが使用されることができる。例えば、磁気共鳴撮像デバイス、超音波撮像デバイス又はコンピュータ断層撮影撮像デバイスが、対象物２及び構成７の画像を生成するために使用されることができる。
【００３８】
構成７及びカテーテル６の実施形態は、図２に更に詳細に概略が示される。構成７は、開いた状態と、折り畳み状態との間で変えられる。開いた状態では、構成７のエネルギー放出要素の放出位置１９及び温度センサの温度検出位置１７が、対象物の表面に当接する当接面３６上に配置される。折り畳み状態では、対象物２に構成７を誘導することを可能にするよう、構成７はより小さな空間を占める。図２において、構成７は、その開いた状態で示される。構成７は、エネルギー放出要素（正方形により示される）の放出位置１９及び温度センサ（三角形により示される）の温度検出位置１７を有する組合せ要素１６である複数のスプラインから作られるバスケットを有する。図２におけるエネルギー放出要素の放出位置１９及び温度センサの温度検出位置１７の分布は、概略的かつ例示的なものにすぎず、本発明を特定の分布に限定するものではない。好ましくは、エネルギー放出要素の各放出位置１９に対して、温度センサの温度検出位置１７が割り当てられる。これは、エネルギーが対象物に印加される位置での温度を測定するため、エネルギー放出要素の対応する放出位置１９のできるだけ近くに配置される。本実施形態において、構成７は、例えば電気的な検出のための更なる検出要素１８（円により示される）を有する。他の実施態様では、更なる検出要素１８は、省略されることができる。
【００３９】
好ましくは、エネルギー放出要素の放出位置１９は、組合せ要素１６に沿って及び当接面３６に沿って均一に分散される。
【００４０】
図２に示される開いた状態において、構成７の組合せ要素１６は、実質的に楕円体又は球体を形成する。従って、開いた状態において、当接面３６は、好ましくは楕円体又は球体の表面である。対象物２にエネルギーを印加するため、好ましくは、エネルギー放出要素の放出位置１９、温度センサ及び可能性として追加的な検出要素１８の温度検出位置といった位置が、対象物２へのエネルギーの印加の間及び対象物２の表面に当接する間、対象物２の表面に対して変化しないままであるという態様で、当接面３６は対象物２の表面に当接する。エネルギー放出要素の放出位置１９、温度センサ及び可能性として追加的な検出要素１８の温度検出位置１７といった、対象物表面に対して固定される位置は好ましくは、組合せ要素１６の、従って構成７の弾性特性により実現される。組合せ要素１６のこの弾性は、弾性力を生じさせる。この力は、エネルギー放出要素の放出位置１９、温度センサ及び可能性として追加的な検出要素１８の温度検出位置１７を対象物の表面に対して押す。組合せ要素１６の弾性は、当接面３６が対象物の表面に従うこと、及び対象物２の運動に追従することも可能にする。一方、エネルギー放出要素の放出位置１９及び検出要素１７、１８は、連続して対象物の表面と接触状態にあるか、又は、他の実施形態では、対象物２が移動する場合であっても、エネルギー放出要素の放出位置１９と検出要素との間の対象物の表面に対する距離が、連続して一定のままである。
【００４１】
組合せ要素１６は、保持要素を有する。これは好ましくは、メモリ合金でできているワイヤである。本実施形態において、保持要素は、ニチノールでできている。構成７を展開するため、即ちバスケットの展開のため、ニチノールのメモリ効果が使用される。ニチノールワイヤは、ばねとして事前成形され、弾性的である。図３に概略的に示され、構成７がより小さな空間を占める折り畳まれた状態において、構成７の組合せ要素１６は、カテーテル軸３７内に配置され、特にカテーテル軸３７内の小さなパイプに配置される。構成７を展開するため、即ち折り畳み状態から開いた状態へと変化させるため、組合せ要素１６は、カテーテル軸３７の外へ移動される。この場合、ニチノールワイヤのメモリ効果のため、構成７は当接面３６を形成する。
【００４２】
図３は、概略的な表示に過ぎない。折り畳み状態の明確さを強調するため、構成７のいくつかの組合せ要素だけが図示され、エネルギー放出要素の放出位置及び温度センサは、存在するにも関わらず図示されていない。
【００４３】
ある実施形態では、当接面３６の末梢部に、エネルギー放出要素の放出位置２０が配置される。即ち、エネルギー放出要素の放出位置２０は、構成７の先端に配置される。組合せ要素１６がカテーテル軸３７内に少なくともほぼ完全に配置される場合、これは対象物２の特定の位置に対してエネルギーを印加することを可能にする。この場合、組合せ要素１６の小さな部分、即ち少なくともエネルギー放出要素の放出位置２０だけが、カテーテル軸３７の外側に配置される。こうして、構成７が折り畳み状態にある場合であっても、エネルギーが対象物２の特定の位置に印加されることができる。
【００４４】
エネルギー放出要素の少なくともいくつかの放出位置１９、２０が、互いに独立して対象物２にエネルギーを印加することができるよう、エネルギー放出要素の放出位置１９、２０は、線３０を介して１つ又は複数のエネルギー源に接続される。エネルギー放出要素の各放出位置１９、２０が、別々にアドレス指定されることができるよう、即ち、エネルギー放出要素の各放出位置１９、２０が、エネルギー放出要素の他の放出位置１９、２０によりもたらされるエネルギーの可能な印加と独立して対象物にエネルギーを印加することができるよう、エネルギー放出要素の放出位置１９、２０が、線３０を介して１つ又は複数のエネルギー源に接続されることが好ましい。
【００４５】
光学エネルギーが光学繊維から出て、対象物に印加されることができるよう、光学繊維３０における放出位置で、クラッディング及び可能な更なるコーティングが除去される。これらの放出位置は、本実施形態では光学繊維である線３０を介して１つ又は複数の光源に接続される。光源は、好ましくはレーザーである。本実施形態において、各放出位置１９は、各放出位置１９を別々にアドレス指定するため、１つ又は複数の別々のレーザーデバイスに光学繊維３０を介して接続される。他の実施形態では、追加的に又は代替的に、放出エネルギー要素は、電気エネルギーを印加する電極とすることができる。
【００４６】
レーザーデバイスのレーザービームが、例えばビームスプリッタにより分けられたあと、各放出位置が個別のレーザービームに接続されるよう、放出位置１９は、１つ又は複数のレーザーデバイスに接続されることができる。この場合、各放出位置１９を別々にアドレス指定するため、各個別のレーザービームの強度が修正されることができる。代替的に、各放出位置１９に対して複数のレーザーデバイスの１つが割り当てられるよう、各放出位置１９が、個別のレーザーデバイスに接続されることができる。
【００４７】
エネルギー放出要素の光学繊維３０は、対応する組合せ要素１６のニチノールワイヤの周りに巻かれる。
【００４８】
各組合せ要素１６は、弾性ケースを有する。このケースは、生体親和性材料でできている。斯かる弾性ケース３８を持つ組合せ要素１６が、図４に概略的に示される。
【００４９】
図４において、複数の光学繊維３０が保持要素５１の周りに巻かれる。更に、温度センサの一部である複数のワイヤ５０が、保持要素５１の周りに巻かれる。ワイヤ５０は好ましくは、繊維３０と同じ又は類似する直径を持つ。保持要素５１の周りで一緒に巻かれる光学繊維３０及びワイヤ５０が、弾性ケース３８内に配置される。ケース３８は、窓３９を有する。この窓を介して、光がケース３８から出ることができる。窓３９は、各繊維３０及びワイヤ５１にアクセスすることが可能であるよう十分長くあるべきである（各繊維及び各ワイヤは、好ましくは１度だけアクセスされる。）。本実施形態では温度センサである熱電対を備えるため、各ワイヤ５０と、本実施形態ではニチノールワイヤである保持要素５１との間の電気接点が作られる。他の実施形態では、ニチノールワイヤは適切な(appropriated)金属コーティングで被覆されることができる。この場合、各ワイヤは、熱電対を形成するため金属コーティングとの電気接点を持つ。
【００５０】
エネルギー放出位置１９において、光が光学繊維３０から出ることを可能にするため、光学繊維３０のクラッディング及び光学繊維３０の可能な更なるコーティングが除去される。これは、図５に概略的かつ例示的に示される。
【００５１】
図５は、組合せ要素１６を通る断面を概略的かつ例示的に示す。ここでは、光が光学繊維３０のファイバコア６３を出て、窓３９を通り伝達する位置において、クラッディング６２及び可能な更なるコーティング、特に電気絶縁物質６０及び導電性コーティング６１が、例えば研磨により除去される。
【００５２】
組合せ要素は、ケースにおいて単一の窓又は複数の窓を有することができる。これは、光学及び熱エネルギーの透過を可能にし、例えば電気検出要素がケース内に存在する場合には電気エネルギーの透過も可能にする。他の実施形態では、エネルギー放出位置１９及び温度検出位置１７及び可能な更なる検出要素１８は、図２に概略的かつ例示的に示されるような構成７全体にわたり分散されるのではなく、この構成を成す組合せ要素の一部内にのみ分散される。
【００５３】
ワイヤ５０とニチノールワイヤ５１との間のあらゆる接点、又は別の実施形態ではワイヤ５０とニチノールワイヤ上の金属コーティングとの間のあらゆる接点は、温度センサの温度検出位置を形成する。１つの共通モードワイヤ５１に接続されるワイヤ５０の概略的な表現、又は熱電対を形成する共通モードワイヤのコーティングが、図６に示される。図６において、３つの熱電対は、組合せ要素１６内の保持要素５１に対して異なる温度検出位置５２で３つのワイヤ５０を接触させることにより製造される。制御ユニット５において、温度検出位置５２での温度を決定するため、ワイヤ５０と保持要素５１との間の電圧が測定される。別の実施形態では、ニチノールワイヤの代わりに、又はそれに加えて、ニチノール管が使用されることができる。ニチノール管は、例えば洗浄又は冷却するためルーメンを通して、例えば食塩液といった流体をポンプ輸送するのに使用されることができる。
【００５４】
ケース３８の窓３９は好ましくは、熱伝導性があり、光に対して光学的に透明である。好ましくは光拡散をサポートするよう、窓３９は構成される。他の実施形態では、窓は少なくとも２つの異なる物質を有することができる。１つは、温度検出位置の近くに配置される熱伝導性のものであり、もう１つは、エネルギー放出位置の近くに配置される光学的に透明なものである。２つの異なる物質は、長手方向に交互に配置されることができる。
【００５５】
図７は、組合せ要素１１６の更なる実施形態を例示的かつ概略的に示す。図４及び図７において類似する要素は、類似する参照符号により示される。図７に示される組合せ要素１１６は、光学繊維３０の直径に対するワイヤ１５０の直径の点で組合せ要素１６と異なる。図７に示される実施形態では、ワイヤ１５０の直径は、光学繊維３０の直径より小さい。これは、ケース３８内に配置可能なエネルギー放出要素及び温度センサの数を増加させることを可能にする。好ましくはケースは、束状のエネルギー放出要素及び温度センサをコーティングすることにより作られる。
【００５６】
ニチノール・ワイヤは好ましくは、直径が２００μｍより小さく、更に好ましくは、１５０μｍより小さく、更に好ましくは１００μｍより小さく、好ましくは、５０又は１００μｍの直径を持つ。電気ワイヤは好ましくは、直径が１００μｍより小さく、更に好ましくは５０μｍより小さく、好ましくは２０μｍの直径を持つ。単一の繊維の直径は好ましくは、３００μｍより小さく、好ましくは２５０μｍより小さく、更に好ましくは２００μｍより小さく、好ましくは１２５μｍより小さく、更に好ましくは１００μｍより小さく、好ましくは６０μｍである。特に、束状で製造されるとき、繊維の直径は３μｍとすることもできる。
【００５７】
上記実施形態において、ワイヤ５０、１５０は、熱電対の第１の金属要素であり、保持要素５１又は保持要素５１上の金属コーティングは、熱電対の第２の金属要素として機能する。図８において、組合せ要素２１６が、例示的かつ概略的に示される。ここでは、２つの金属箔が、熱電対の第１及び第２の金属要素を形成する。図４、７及び８において類似する要素は、類似する参照符号により示される。
【００５８】
ワイヤ５０、１５０の代わりに、２つの金属箔２５４、２５５が、保持要素５１の周りに巻かれる。本書では、熱電対の第１及び第２のすべての金属要素が使用されるので、２つの金属箔２５４、２５５は、互いに絶縁され(insulted)、単一の点で接続される。これは、温度検出位置を形成する。第１及び第２の金属要素間の絶縁は、明確さのため図示省略されている。
【００５９】
箔を用いることにより、複数トラック接続／熱電対が、リソグラフィ処理により作られることができる。箔厚は、厚さ０．５〜５μｍの金属層を備える２５μｍの薄さとすることができる。
【００６０】
組合せ要素３１６の更なる実施形態が、図９に概略的かつ例示的に示される。この場合も、図４、７、８及び９において類似する要素は、類似する参照符号により示される。
【００６１】
組合せ要素３１６は、光学繊維８０、８２を有する。これは、金属コーティング４２、４３を有する。窓３９の位置において、電気接点は、金属コーティング４３と保持要素５１との間、又は金属コーティング４３と熱電対を形成する温度検出位置３３での保持要素５１上の金属コーティングとの間に作られる。電気検出位置７０において、光学繊維８２の金属コーティング４２を用いて対象物の電気信号が受信される。管状保持要素５１に対する洗浄開口が、洗浄位置６１に配置される。温度検出位置６２が、エネルギー放出位置の近くに配置される。この場所で、光は光学繊維から出る。
【００６２】
図１０は、組合せ要素の更なる実施形態４１６を概略的かつ例示的に示す。組合せ要素４１６は、エネルギー印加要素として複数の光学繊維８１を有する。これは、金属コーティング４２で被覆される。少なくともいくつかの光学繊維８１に対する、特に光学繊維の各々に対する検出要素又は検出要素の一部として、金属箔４１ａが加えられる。この場合、金属コーティング４２は、金属箔４１ａに対して電気的に絶縁される。温度検出位置６２において、金属箔４１ａと金属コーティング４２との間に電気接点が作られる。電気接点は、温度を測定するための熱電対を生成する。別の実施形態では、温度検出位置において、光学繊維のそれぞれ又は少なくともいくつかを、間に電気的絶縁コーティング層を備える少なくとも２つの金属コーティングで覆うことにより、熱電対が作られる。温度検出位置において、熱電対を作るためのこの２つの金属コーティング層の間に電気接点が作られる。更に、対象物、特に人間の心臓の電位を検出するための電気導体を形成するのに、光学繊維上又は保持要素上の金属コーティングが使用されることができる。図１０に示される実施形態４１６では、洗浄開口部６１が、光学エネルギーが印加される位置を洗浄するため、特に病変位置を洗浄するため、管状保持要素５１に存在する。
【００６３】
電気検出位置、温度検出位置及び／又は洗浄位置は、図４、７及び８に示される組合せ要素の窓に配置されることもでき、明確さのため図示は省略される。
【００６４】
図４、７〜１０では、特定の数のエネルギー放出要素及び温度センサが示される。しかし、他の実施形態では、他の数のエネルギー放出要素及び温度センサが存在することもできる。更に、図示省略されていても、追加的な検出要素、例えば電気を検出するための検出要素が存在することができる。
【００６５】
ケース３８は好ましくは、光学的に透明な窓３９を有する。これは、エネルギーがケース３８を出ることを可能にするため、エネルギー放出位置に配置される。代替的に、完全に光学的に透明なケースが使用されることができる。
【００６６】
好ましくは、エネルギーの印加の間、温度、及び可能であれば電位といった対象物の更なる特性を監視するために検出要素が使用される。
【００６７】
上述した実施形態において、温度センサは、熱電対である。他の実施形態では、他の温度センサが使用されることができる。例えば、温度は光学的に測定されることができる。
【００６８】
これらの温度測定は、エネルギー放出要素による光学エネルギーの印加に干渉しないので、対象物２の検出及びエネルギーの印加は同時に実行されることができる。これは、エネルギーが対象物に印加される間、対象物の特性、特に、対象物の表面の特性を監視することを可能にする。例えば、切除手順を実行するためエネルギーが印加される場合、切除手順の間この手順の進行が監視されることができる。
【００６９】
別の実施形態では、時間多重方法が使用されることができる。この方法では、エネルギーの印加と対象物の温度の検出とが交互に実行される。
【００７０】
このセンサ要素は、対象物から後方散乱される、及び／又は反射される光を検出する分光センサを有することもできる。後方散乱及び／又は反射された光は、対象物の分光検査のため、光学繊維を介して分光器に伝達される。
【００７１】
検出要素は、個別にアドレス指定可能である。例えば、電位センサといった電気センサ又は温度センサが、ワイヤにより個別に接触され、光学センサが光学繊維を介して個別に接触される。これは、各検出位置が別々の線を介して好ましく接触されることを意味する。
【００７２】
図４、７〜１０に示される組合せ要素は、組合せ要素の左側がオープンであるように図示される。左のオープンサイドは、光学繊維内かつ組合せ要素内の要素の構成を説明するためにだけ示される。しかし、実際には、図４、７〜１０に示される左側は、好ましくはすべての光エネルギーが反射され、電気絶縁物質で覆われるよう、閉じている。図４、７〜１０に示される右側は好ましくは接続され、特にエネルギーを印加及び／又は検出する光学デバイス及び電気デバイスにプラグインされる。
【００７３】
図４、７〜１０に示されるケースは、コーティングとすることができる。更に、エネルギー印加要素及び好ましくは検出要素は、好ましくはこれらの要素が外側の絶縁コーティングを有する場合、又はこれらの要素が電気導電的でないか又は保持要素に対して距離を持つ場合、保持要素の周りに直接巻かれることができる。後者の場合、スペーサが間に配置されることができるか、又は、ケースはルーメンを有することができる。このルーメンは、通常互いに分離され、ルーメン内には、エネルギー印加要素及び好ましくは検出要素が配置される。ルーメンは、エネルギー放出及び／又は検出位置を形成することが必要とされる場所と接続状態にある。
【００７４】
図１１は、患者の心臓内に配置され、開いた状態にある構成７を概略的に示す。この状態において、当接面３６は、肺静脈３１の心門の周りで対象物の表面４０に当接する。即ち、この実施形態では、当接面３６の一部が、対象物の表面４０に当接する。心門又は肺静脈３１の周りの心臓組織を変性させるため、エネルギー放出要素は、エネルギー放出位置１９を介して、特に対象物の表面４０と接触するエネルギー放出要素１９を介して、エネルギーを、特にこの実施形態では光エネルギーを、互いに独立に対象物の表面４０に印加することができる。
【００７５】
図１１は、説明目的のためケースなし及び温度センサなしの構成７の２つの組合せ要素だけを概略的に示す。にもかかわらず、図１１に示される状況においても、構成７は、複数の組合せ要素を有する。この場合、上述したように、例えば、図４及び７〜１０において概略的に示したように、各組合せ要素は、ケース内で囲まれる複数のエネルギー放出要素及び温度センサを含む。
【００７６】
この実施形態において、対象物にエネルギーを印加する装置１は、対象物２の３次元モデルを具備する。この３次元モデルは、コンピュータ断層撮影デバイス、磁気共鳴撮像デバイス又は超音波撮像デバイスといった撮像デバイスにより対象物２の画像を生成し、対象物２を分割し、及び、例えばこの分割された対象物２をレンダリングすることにより、生成されることができる。更に、対象物にエネルギーを印加する装置１は、当接面３６のモデルを具備する。このモデルは、本実施形態では、当接面３６上のエネルギー放出要素１９、２０の大きさ及び位置を有する。対象物２の３次元モデル２１及び当接面３６のモデル２２が、図１２に概略的に示される。
【００７７】
当接面３６のモデル２２は、蛍光透視デバイス１２により生成される画像を用いて、対象物の３次元モデル２１と位置合わせされる。この位置合わせは、装置１の位置合わせユニット８により実行される。
【００７８】
位置合わせユニット８は、撮像デバイス１２により生成される画像に対して対象物２の３次元モデル２１を位置合わせするよう構成される。上記生成される画像は、本実施形態では２次元投影画像である。２次元投影画像を対象物の３次元モデルに位置合わせするためには、既知の２Ｄ３Ｄ位置合わせ方法が使用されることができる。
【００７９】
更に、位置合わせユニット８は、撮像デバイス１２により生成される画像に対して当接面３６のモデル２２を位置合わせするよう構成される。また、この位置合わせのため、既知の２Ｄ３Ｄ位置合わせ方法が使用されることができる。両方のモデル２１、２２が２次元投影画像に対して位置合わせされるので、これらの２つのモデル２１、２２は、互いに位置合わせされる。
【００８０】
対象物にエネルギーを印加する装置１は更に、視覚化デバイスを有する。これは、本実施形態はモニタ１３である。この視覚化デバイスは、対象物２の３次元モデル２１及び当接面３６のモデル２２を表示するよう構成される。対象物にエネルギーを印加する装置１は更に、ユーザが対象物の３次元モデル２１上で経路２３を引くことを可能にするマウス又はキーボードといった入力デバイス１５を有する。この経路に沿って、エネルギーが対象物２に印加されるべきである。この経路２３に基づき、エネルギー放出要素の決定ユニット４１は、この経路２３上に配置される、又はこの経路のできるだけ近くに配置される当接面３６のモデル２２のエネルギー放出要素を決定する。図１２において、これらの決定されたエネルギー放出要素２４は×印で示される。
【００８１】
図１２に示される例では、３次元モデル２１は、肺静脈の心門２５を示す心臓の３次元モデルである。心門２５の周りの心臓組織は、変性されるべきである。従って、ユーザは、肺静脈の心門２５を囲む経路２３を入力する。×印の付いたエネルギー放出要素２４が、経路２３上又はこの経路の近くに配置され、続く切除手順の間、エネルギーが×印の付いたエネルギー放出要素２４を介して対象物２に印加されることになる。
【００８２】
エネルギーが対象物に印加されるべき他の経路が、本発明に基づき提供されることができる。例えば、線形切除手順に関して、実質的に線形で、肺静脈の２つの小孔を接続するオープンな経路が、この経路に沿ってエネルギーを印加するために使用されることができる。
【００８３】
エネルギーが空間的に連続的な態様で対象物に印加されるよう、即ち、エネルギーが印加されないすきまを持つことなしに個別の経路に沿ってエネルギーが連続して印加されるよう、エネルギー放出要素２４が決定される。
【００８４】
図１を再度参照すると、オプションで、対象物にエネルギーを印加する装置１は更に、対象物の３次元モデル２１上の経路２３を自動的に決定する経路決定ユニット１４を有する。この場合、経路決定ユニット１４は、対象物の特性を決定するため、対象物の３次元モデル２１及び／又は検出要素の検出値を受信し、経路決定ユニット１４は、対象物の所望の処置に基づき、モデル２１及び／又は対象物の決定された特性から経路２３を決定する。例えば対象物が心臓であり、経路が肺静脈の心門を囲まなければならない場合、心門の端に対して所与の距離を持って、肺静脈の心門を囲むよう、経路が決定される。この経路は、モデル２１及び／又は検出値から決定されることができ、例えば検出電極を用いて生成される心臓の電位画像から決定されることができる。この所与の距離は、医師のようなユーザにより予め決定されることができる。決定された経路は、視覚化デバイス１３上に表示される。
【００８５】
ユーザが対象物の３次元モデル２１上で経路２３及び／又は追加的な経路を修正することができるよう、入力デバイス１５は構成される。更に、入力デバイス１５は、エネルギーを印加すべき決定された放出要素２４を修正するよう構成される。更に、対象物にエネルギーを印加する装置１は、経路２３を直接示すことの有無にかかわらず、エネルギーを印加すべきエネルギー放出要素２４をユーザが選択することを可能にするよう構成されることができる。
【００８６】
図１３は、対象物にエネルギーを印加する装置１の制御ユニット５を概略的に示す。本実施形態において、制御ユニット５は、複数の光源、特にレーザーデバイス２６１...２６Ｎを有する。ここで、これらのレーザーデバイスの数Ｎは、構成７のエネルギー放出要素の別々の光学繊維３０の数に対応する。各レーザーデバイス２６１...２６Ｎは、別々のエネルギー放出要素に結合される。制御ユニット５は更に、温度検出位置１７にある温度センサから温度値を受信する特性決定部２７を有する。この装置が更なる種類の検出要素を有する場合、特性決定ユニット２７は、追加的な検出要素から更なる種類の検出値を受信することができる。特性決定ユニット２７は、これらの検出値から、少なくとも温度から、及び電気検出が実行される場合には電位から、対象物２の特性を決定する。これらの特性は、決定された特性が所与の動作範囲に含まれるかを決定する偏差決定ユニット２８に送られる。決定された特性が所与の動作範囲に含まれない場合、アラーム信号ユニット２９は、決定された特性が範囲外にあることを示す音響又は光学信号を出力する。好ましくは、対象物の少なくとも１つの決定された特性が範囲外にあると偏差決定ユニット２８が決定する場合、制御ユニット５は、対象物に印加されるエネルギーの強度を自動的に減らす。例えば、エネルギーの印加を止める。
【００８７】
上述の構成７は、肺静脈の１つの心門を覆うものとして図１１及び図１２では示されるが、肺静脈の２つの心門を覆うよう、切除面が必要な大きさにされることもできる。
【００８８】
以下、本発明に基づき対象物にエネルギーを印加する方法が、図１４のフローチャートを参照して更に詳細に説明されることになる。
【００８９】
ステップ１０１において、対象物２の３次元モデル２１が、対象物にエネルギーを印加する装置１に提供される。更に、当接面３６のモデル２２が、対象物にエネルギーを印加する装置１に提供される。
【００９０】
ステップ１０２において、エネルギー放出要素の構成７を折り畳まれた状態から開いた状態へと移すため、対象物２に誘導されたエネルギー放出要素の構成７が展開される。開いた状態では、好ましくは、対象物の内側表面に対するエネルギー放出要素の位置が以下の手順の間一定であるよう、当接面３６が対象物２の内側表面に当接する。
【００９１】
ステップ１０３において、撮像デバイス１２は、対象物２及び当接面３６の画像を生成し、この画像は、位置合わせユニット８に送られる。
【００９２】
対象物２の３次元モデル２１及び当接面３６のモデル２２は、画像生成デバイス１２の画像を使用することにより、互いに対して位置合わせされる。
【００９３】
位置合わせされたモデル２１、２２は、視覚化デバイス１３上に視覚化され、対象物２の３次元モデル２１上の経路は、対象物にエネルギーを印加する装置１に入力デバイス１５を介して入力されることができる。デフォルトとして、経路決定ユニット１４は、デフォルト経路を決定することができる。この経路も、視覚化デバイス１３上に視覚化され、入力デバイス１５を用いるユーザにより修正されることができる。
【００９４】
エネルギー放出要素のエネルギー放出位置２４が、ステップ１０６において決定される。この位置は、エネルギー放出要素の決定ユニット４１により、所与の経路を当接面３６にできるだけ良好にマッピングするため、所与の経路上に配置されるか又は所与の経路の近くに配置される。対象物にエネルギーを印加すべきこれらのエネルギー放出位置は、入力デバイス１５を介してユーザにより修正されることができる。
【００９５】
ステップ１０７において、エネルギーは、ステップ１０６においてユーザにより決定され、可能であれば修正されるエネルギー放出位置を有するエネルギー放出要素により対象物に印加される。対象物にエネルギーを印加する間、対象物の特性は、温度センサ並びに可能な更なる検出要素、特性決定ユニット２７及び偏差決定ユニット２８により監視される。
【００９６】
対象物にエネルギーを印加する装置１に対応する停止信号をユーザが入力デバイス１５により入力する場合、特性決定ユニット２７が、対象物の必要な修正を示す所定の特性に対応する対象物の特性を決定する場合、又は、対象物の特性のうちの少なくとも１つが範囲外にあると偏差決定ユニット２８が決定する場合、特に温度が範囲外にある場合、即ち所定の閾値を超える場合、エネルギーの印加がステップ１０８で止められる。
【００９７】
対象物にエネルギーを印加する装置１を用いる上述の方法は、エネルギー放出要素の構成７を対象物に対して大雑把に配置することを可能にする。なぜなら、エネルギーが対象物に対して印加されることになる正確な経路は、切除面３６の位置により決定されるのではなく、ステップ１０６におけるエネルギー放出位置の決定及び可能であれば修正により決定されるからである。従って、エネルギー放出要素の時間消費の多い位置決めが省略されることができる。
【００９８】
対象物の３次元モデル、特に、心臓の３次元モデルは、純粋な生体構造モデル、又は検出電極により測定される電位を用いた電気生体構造モデルとすることができる。
【００９９】
エネルギー放出要素のエネルギーは、時間調整された態様で同時に又は自動的に印加されることができる。更に、エネルギーの成功した印加、特に成功した切除は、対象物の温度を測定することにより確認されることができる。エネルギー放出位置及び温度検出位置が互いに近くに配置されるので、エネルギーが印加される位置での温度が高い精度で監視されることができる。
【０１００】
電位を測定する電気検出要素が存在する場合、対象物の、特に心臓組織の電気生体構造マッピングが提供されることができる。このマッピングは、肺静脈の心門といった関連する構造体を検出するのに使用されることができる。この電気生体構造マッピングは、対象物のモデルを決定し、放出要素の構成の当接面のモデルと対象物のモデルとを位置合わせするのに用いられることもできる。
【０１０１】
対象物において、特に、心臓組織においてあまりに高い温度が回避されるよう、ステップ１０７において、対象物に印加されるエネルギーが制御されることができる。こうして、温度があまりに高くなる場合、制御ユニット５は好ましくは、対象物に印加されるエネルギーを減らす。心臓組織の場合、８０°以上の温度は一般的に、あまりに高い。
【０１０２】
本発明は、例えば、心臓の４つのチャンバにおける切除に、肺静脈の電気隔離に、及び基板修正に使用されることができる。
【０１０３】
光源２６１...２６Ｎは好ましくは、９６０ｎｍ〜１１００ｎｍの範囲の波長を持つ赤外線レーザーデバイスである。
【０１０４】
更に、注目する構造体の位置、例えば肺静脈の心門の位置は、対象物の表面での電位を電気検出要素により検出することにより位置決めされることができる。注目する構造体の位置は幾何学マップにマッピングされることができ、肺静脈の心門の位置及びサイズのこの幾何学的な情報は、対象物の、特に患者の心臓の３次元モデルへとマッピングされることができる。心門のサイズ及び位置は、エネルギーが印加されなければならない経路をユーザが入力することを可能にするため、又は斯かる経路を自動的に決定することを可能にするため、視覚化デバイス１３により対象物の３次元モデル上に表示されることになる。
【０１０５】
蛍光透視デバイスが撮像デバイスとして上で説明されたが、例えば、磁気共鳴デバイス又は超音波撮像デバイスといった別の撮像デバイスが、対象物及びエネルギー放出要素の構成を特にリアルタイムに視覚化するのに使用されることができる。
【０１０６】
対象物にエネルギーを印加する装置１は、例えば、線形円周切除、及び／又は分節切除、及び／又はシングルポイント切除のために使用されることができる。
【０１０７】
特に、対象物にエネルギーを印加するためのコンピュータプログラムは、請求項１に記載の装置の温度センサにより検出される検出温度に基づき、この装置のエネルギー放出要素による対象物に対するエネルギーの印加をコンピュータに制御させるためのプログラムコード手段を有することができる。
【０１０８】
本発明が図面及び前述の説明において詳細に図示され及び説明されたが、斯かる図示及び説明は、説明的又は例示的であると考えられ、本発明を限定するものではない。本発明は、開示された実施形態に限定されるものではない。図面、開示及び添付の特許請求の範囲の研究から、開示された実施形態に対する他の変形が、請求項に記載された発明を実施する当業者により理解され及び遂行されることができる。
【０１０９】
請求項において、単語「有する」は他の要素又はステップを除外するものではなく、不定冠詞「ａ」又は「ａｎ」は複数性を除外するものではない。単一のプロセッサ又は他のユニットが、請求項に記載される複数のアイテムの機能を満たすことができる。特定の手段が相互に異なる従属項に記載されるという単なる事実は、これらの手段の組み合わせが有利に使用されることができないことを示すものではない。
【０１１０】
コンピュータプログラムは、他のハードウェアと共に又はその一部として供給される光学的記憶媒体又は固体媒体といった適切な媒体に格納／配布されることができるが、インターネット又は他の有線若しくは無線通信システムを介してといった他の形式で配布されることもできる。
【０１１１】
請求項における任意の参照符号は、本発明の範囲を限定するものとして解釈されるべきではない。
【図１】
0005587786.tif 000002
【図２】
0005587786.tif 000003
【図３】
0005587786.tif 000004
【図４】
0005587786.tif 000005
【図５】
0005587786.tif 000006
【図６】
0005587786.tif 000007
【図７】
0005587786.tif 000008
【図８】
0005587786.tif 000009
【図９】
0005587786.tif 000010
【図１０】
0005587786.tif 000011
【図１１】
0005587786.tif 000012
【図１２】
0005587786.tif 000013
【図１３】
0005587786.tif 000014
【図１４】
0005587786.tif 000015